(57)【要約】      （修正有）【課題】ポケットやズボンの中に機器を入れといても安全であり、身体と結ばれているため、落下の心配もなく使用でき、また機器の背面と伸縮性の材料の間に指を挿入して片手だけでも機器を操作できる機器ホルダーを提供する。【解決手段】電子機器Ｄの胴体の外周に、伸縮性を有する材料を使用したリング２を１個以上装着して、胴体とリング２とを互いに圧着させ、更にリング2に連結する連結部材３を設け、リング２と連結部材３とを互いに固着させて、一体なものにした。【選択図】図１
2018042960.tif 000002
【特許請求の範囲】
【請求項１】
電子機器の胴体の外周に、伸縮性を有する材料を使用したリングを１個以上装着して、該胴体と該リングとを互いに圧着させ、更に該リングに連結する連結部材を設け、該リングと該連結部材とを互いに固着させて、一体なものにしたことを特徴とする電子機器ホルダー。
【請求項２】
前記複数個の該リングに連結する連結部材が、伸縮性のある材料から成り、該連結部材と電子機器背面との間に指挿通部を形成したことを特徴とする請求項１に記載の電子機器ホルダー。
【請求項３】
伸縮性のある材料を用い、前記該リング及び該連結部材を固着したものと同等の機能を有するものを、一体形成したことを特徴とする請求項１又は２に記載の電子機器ホルダー。
【発明の詳細な説明】
【技術分野】
【０００１】  この発明は、携帯電話、音楽プレイヤーなどの電子機器に装着して使用するホルダーに関するものである。
【背景技術】
【０００２】  携帯電話などを、ズボン・シャツのポケットやバックなどから取り出して使用する場合がある。しかし取り出すのに時間が掛かるのを省くため、特許文献１のように、ピン金具つきの携帯電話装着ホルダーを衣服に留める例がある。
また、特許文献２に記載されている携帯電話を片手だけでも操作可能にするために伸縮性の材料を電子機器の側面に取付けた例である。
【先行技術文献】
【０００３】
【特許文献１】特許  第５４５７５８６号
【特許文献２】特許公開  ２０１５−２３５６４
【発明の概要】
【発明が解決しようとする課題】
【０００４】  上記にあげた特許文献１のものは、機器を使用中に人体の胸部にピンが刺さる可能性があり危険である。また振動（歩行時など）が加わると携帯電話とそのホルダーがぶつかり合い機器が損傷することも考えられる。使用者が前かがみの動作をした時に機器が落下するかもしれない。【０００５】  また特許文献２の「携帯機器用落下防止ホルダー」の場合は、バックなどから機器を取り出すとき、落としたりすることがある。あるいは、機器を使用中に、人や物にぶつかり落とすという問題点がある。
ところで、機器の背面に装着するバックカバーや機器の両面を覆うフリップカバーなるものが市中で販売されているが、これらを機器に付けると全体の厚さが増すことになりポケットなどへの挿入、取り出しを困難にする。【０００６】  本発明の電子機器ホルダーは、ポケットやズボンの中に機器を入れといても安全であり、機器を擁する電子機器ホルダーは、身体と結ばれているため、落下の心配もなく使用でき、また機器の背面と伸縮性の材料の間に指を挿入して片手だけでも機器を操作できる機器ホルダーを提供するものである。
【課題を解決するための手段】
【０００７】  上述の課題を解決するために、本発明の電子機器ホルダーは、請求項１に記したように、電子機器の胴体の外周に、伸縮性を有する材料を使用したリングを１個以上装着して、該胴体と該リングとを互いに圧着させ、更に該リングに連結する連結部材を設け、該リングと該連結部材とを互いに固着させて、一体なものにしたことを特徴とするものである。【０００８】  次に、請求項２に記載する発明にあっては、前記複数個の該リングに連結する連結部材が、伸縮性のある材料から成り、該連結部材と電子機器背面との間に指挿通部を形成したことを特徴とするものである。【０００９】  また、請求項３に記載の発明では、伸縮性のある材料を用い、前記該リング及び該連結部材を固着したものと同等の機能を有するものを、一体形成したことを特徴とするものである。
【発明の効果】
【００１０】  以上説明したように本発明の電子機器ホルダーによれば、ワイシャツ・ブラウス・ズボンのポケットの中に機器を入れといても安全であり、機器を擁する電子機器ホルダーは、身体と結ばれているため、落下の心配もなく使用でき、また電子機器使用者の両手が使えない時に、機器の背面と連結部材３の間に指を挿入して片手で機器を保持しつつ、それを容易に操作できる。更に、機器を擁する機器ホルダーの厚みを、従来のカバー、ホルダーに比して小さくできる。
また、機器Ｄのサイズは各々異なるが、リング２、連結部材３には伸縮性のある材料を使用しているので、その違いにより機器の胴体への圧着力が、僅かしか変化しない特徴がある。
【図面の簡単な説明】
【００１１】
【図１】  本発明の第１の実施形態に係る電子機器ホルダーの正面図である。
【図２】  図１の右側面図である。
【図３】  本発明の第２の実施形態に係る電子機器ホルダーの正面図である。
【図４】  図３の右側面図である。
【図５】  本発明の第３の実施形態に係る電子機器ホルダーの正面図である。
【図６】  図５の左側面図である。
【発明を実施するための形態】
【００１２】  以下、本発明の実施形態を図面に基づき詳細に説明する。
図１は第１の実施形態を示す正面図であり、図２は、その右側面図である。
【００１３】  図１において、１は本発明の第１の実施形態に係わる電子機器ホルダーを示している。図１で、Ｄは電子機器を表しており、上下２個のリング２が、電子機器Ｄ（例えばスマートフォン）の胴体の左右方向に装着されている。リング２は、伸縮性のある材料（例えば「ゴムひも」など）を使用しており、機器Ｄの胴体を圧着している。機器Ｄの表面、背面、側面などには、液晶画面、電源スイッチ、受話口、カメラ窓  などがあり、それらに被さらない位置にリング２を配置することになる。
【００１４】  図１、２の如くリング２と連結する連結部材３が、機器Ｄの上下方向に配置される。図２に示すように、連結部材３の一端が、まず上方位置から、上部リング２の内側と機器Ｄの背面の間を通り、下方に向かい下部リング２の内側を行き、機器Ｄの下面を通り、上方に向かい下部リング２の上面で折り返し、下方から右方に行き折り返し、リング２外側を通り上方向に行き、始めの上方の位置に戻る。
【００１５】  このように連結部材３を、下部リング２及び機器Ｄで折り返して絡めることにより、機器ホルダー１が略式の網状になり、下記の第２の実施形態の機器ホルダー６に比して、機器Ｄが機器ホルダー１よりズリ落ち難くなる。
【００１６】  尚、図１，２においてリング２と連結部材３との重なり合う箇所は、接着・溶着・縫合などの少なくとも１つ以上の方法で固着し、リング２と連結部材３が一体となった電子機器ホルダー１にする。
【００１７】  また、図１、２では連結部材３の両端を繋いでリング４を形成している。
ところで、図示していないが、上記の連結部材３の両端面を重ね合わせて、その上方に下記［００１８］に説明している「衣服用クリップ付のゴムひも」などを括りつける留め穴（図５の７と同様なもの）を明けても良い。
【００１８】  リング部４を設ける事により「機器Ｄを装着した電子機器ホルダー」１０を、首に掛けられる。
また、「衣服用クリップ付のゴムひも」などを使い、リング部４に該ゴムひもを括り、該クリップを、例えばワイシャツのポケットの縁に付けることにより、上記の首に掛ける例と同じように「機器Ｄを装着した電子機器ホルダー」１０の落下を防止でき、機器Ｄの損傷を免れる事ができる。
【００１９】  更に、機器を擁する機器ホルダー１０の厚みは、薄い材料（例えば０．８ｍｍ）を使っているので、従来の機器の背面に装着するバックカバーや機器の両面を覆うフリップカバー、ホルダーに比して少なく、ポケットなどへの挿入、取り出しが容易である。
尚、リング２、連結部材３を色付きにしたカラフルなものにして、他人のものとの区別ができる様にしても良い。
【００２０】  ところで、リング２の機器Ｄへの圧着力を調整する方法としては、リング２の一箇所を切断し、リング両表面にベルクロなどを付けてリングの長さを調整可能にする。また別の方法として、いわゆるベルト式にして調整できるようにする事も考えられる。ただ両方法とも図示してないが、リング調整部またはベルト部の厚さが大きくなり、出っ張りが生ずる欠点がある。
【００２１】  図２における指挿入部５は、連結部材３と機器Ｄ背面とのすき間を表している。このすき間は、上下リング２の中間あたりの２本重なっている連結部材３と機器Ｄの背面との間に指を挿入してできる。
電子機器使用者が両手を使えない時に、指挿入部５に指を挿入し、片手で機器を保持しつつ、それを親指などで容易に操作することができる。
【００２２】  次に、本発明の第２の実施形態を、図面に基づき詳細に説明する。
図３は第２の実施形態を示す正面図であり、図４は、その右側面図である。
１１は「機器Ｄを装着した電子機器ホルダー」を表している。
第１の実施形態と異なる点は、連結部材３が下部のリング２の下面だけで折り返していることである。この場合は、機器Ｄと電子機器ホルダー６は、互いの摩擦力だけでズリ落ちないようにしている。リング２の圧着力が弱いと、機器Ｄがホルダー６より落ちる危険性がある。落ちないように圧着力を強くして使えば問題は無くなる。
【００２３】  図５は第３の実施形態を示す正面図であり、図６は、その右側面図である。
１２は「機器Ｄを装着した電子機器ホルダー」を表している。
第１，２の実施形態では、リング２と連結部材３を固着して作られて一体となった電子機器ホルダー１，６であったが、同等の機能を有するように、伸縮性の材料、例えばゴムなどを金型に流し込んで成型した電子機器ホルダー８である。
また３Ｄプリンターを使い同様なものを作ることも可能であるが、この方法だと製作費が嵩む欠点がある。
図５、６は電子機器ホルダー１を第３の実施形態の例にしたものである。
【００２４】  図５では連結部材３の上方部に、留め穴７を設けたの例が示されているが、首に掛けられるように図２のリング部４の様にしても良い。
【符号の説明】
【００２５】１  電子機器ホルダー                １０  機器Ｄを装着した電子機器ホルダー
２  リング                          １１  機器Ｄを装着した電子機器ホルダー
３  連結部材                        １２  機器Ｄを装着した電子機器ホルダー
４  リング部
５  指挿通部
６  電子機器ホルダー
７  留め穴
８  電子機器ホルダー
Ｄ  電子機器
【図１】
2018042960.tif 000003
【図２】
2018042960.tif 000004
【図３】
2018042960.tif 000005
【図４】
2018042960.tif 000006
【図５】
2018042960.tif 000007
【図６】
2018042960.tif 000008